(57)【要約】      （修正有）【課題】簡易な構造でナイトカバーの開閉状態を判別する開閉検知装置を備えるとともに、開閉検知装置を持たないオープンショーケースについても容易に改造氏機能を持たせる。【解決手段】オープンショーケースの開口端部に配設されるナイトカバー２先端の引掛部を保持するナイトカバー保持具３をナイトカバー２と対向する側の開口端部に配設し、前記ナイトカバー保持具３はナイトカバー２の開閉状態を判別するナイトカバー開閉検知装置とする。【選択図】図１
2013240503.tif 000002
【特許請求の範囲】
【請求項１】
オープンショーケースの開口端部に配設されるナイトカバー先端の引掛部を
保持するナイトカバー保持具をナイトカバーと対向する側の開口端部に配設し、
前記ナイトカバー保持具はナイトカバーの開閉状態を判別するナイトカバー検知装置とすることを特徴とするオープンショーケース。
【請求項２】
前記ナイトカバー検知装置は磁石付フックを備え、前記磁石付フックが上下または前後に移動可能な状態で保持すると共に、磁石付フックの移動に応じて電気信号を供給する近接センサを備えることを特徴とする請求項１記載のオープンショーケース。
【請求項３】
前記ナイトカバー検出装置は、ショーケース本体開口部のナイトカバーの設置端部に対向する端部に配設した冷気吸込み口の内部に取り付けたことを特徴とする特徴とする請求項１または請求項２に記載のオープンショーケース。
【請求項４】
前記近接センサはホールＩＣまたはリードスイッチであることを特徴とする請求項１から請求項３のいずれか記載のオープンショーケース。
【請求項５】
前記結合部は略Ｕ字状のフックであることを特徴とする請求項１から請求項４のいずれか記載のオープンショーケース。
【請求項６】
前記フックとホルダーもしくフックと近接センサとの間に伸縮機能を持たせたことを特徴とする請求項１から請求項５のいずれか記載のオープンショーケース。
【発明の詳細な説明】
【技術分野】
【０００１】
本発明は、スーパーマーケットなどの小売店舗に納められ、商品収納室内と商品を外気から遮断するナイトカバーを備えたオープンショーケースに関する。
【背景技術】
【０００２】
スーパーマーケットなどで使用され、食料品などの商品を収納し陳列するオープンショーケースは、特開２００１−２０４５９７号（特許文献１）の図１に記載にされているように、商品収納室の開口部の上端部分における冷気吹き出し口の前面側部分にカバー材を巻き取る巻き取りリールを付設し、この巻き取りリールから引き出されるカバー材の引き出し側の先端に、フック（掛止部）を設けた操作部を取り付ける一方、商品収納室の開口部下方の手摺りモール部分に前記フックを掛合させるための掛合部を設けている。
【０００３】
そして、操作部を下方側に引いてカバー材をリールから引き出し、フックを手摺りモール部分の掛合部に掛合し保持させて、オープンショーケースの開口部を覆うことにより開口部からの外気の進入を防ぐとともに、庫内の冷気の流出を防止し、消費電力を削減するための機能を備える。
【特許文献１】特開２００１−２０４５９７号
【０００４】
また、オープンショーケースのナイトカバーの発明として、特許第４３４６２５０号（特許文献２）があり、ナイトカバーの開閉作業は通常手作業で実施されることから、ナイトカバーが正常に閉じられたかを判別する手段として、特許文献２の図１または図２に記載されているように、ナイトカバー先端に磁石を取り付け、ナイトカバーが開口部を覆うときの、磁石とナイトカバーの先端が接近する位置として、ショーケース本体の冷気吸込口側付近に近接センサを取り付け、磁石が近接センサに接近することで、ナイトカバーが開口部を閉じているか否かを検出する発明が記載されている。
【特許文献２】特許第４３４６２５０号
【発明の開示】
【発明が解決しようとする課題】
【０００５】
ナイトカバーは、オープンショーケースの開口部の大きさに応じて適する寸法幅のものを選択することが一般であり、オープンショーケースの開口部の大きさは多段型やひな壇型など種類が多いことから、ナイトカバーの種類も必然と多種に多様に揃えることになる。またカバー材の材質も多岐にわたることから、一般的には市販のナイトカバーを、その掛止部分にフック等や環状の掛止構造を備えるものが汎用されているので、特許文献１の発明のように磁石をナイトカバーの先端に取り付ける場合、市販のナイトカバーに対し個々に取り付ける作業が必要になる。
【０００６】
また、ナイトカバーは、巻き取りリールの構造であることから、使用する場合は、先端を手で摘んで引っ張り出す作業があり、また引き出したナイトカバーを商品収納室の開口部下方の手摺りモール部分のフックと掛止保持するので、常に負荷がかかる状態にあることから、ナイトカバーの先端に磁石を設ける場合、繰り返し負荷がかかり、取り付け部分の疲弊が生じ掛止部が損傷する問題も生じる。
【課題を解決するための手段】
【０００７】
本発明は、前記の技術的課題を解決するために成されたものであり、オープンショーケースの開口端部に配設されるナイトカバー先端の引掛部を保持するナイトカバー保持具をナイトカバーと対向する側の開口端部に配設し、前記ナイトカバー保持具はナイトカバーの開閉状態を判別するナイトカバー開閉検知装置とすることを特徴とする。
【０００８】
また、前記ナイトカバー検知装置は磁石付フックを備え、前記磁石付フックが上下または前後に移動可能な状態で保持すると共に、磁石付フックの移動に応じて電気信号を供給する近接センサを備えている。
【０００９】
さらに、前記ナイトカバー開閉検出装置は、ショーケース本体開口部のナイトカバーの設置端部に対向する端部に配設した冷気吸込み口の内部に取り付けている。
【００１０】
前記近接センサはホールＩＣまたはリードスイッチであることを特徴とする請求項１から請求項３のいずれか記載のオープンショーケース
【００１１】
前記結合部は略Ｕ字状のフックであることを特徴とする請求項１から請求項４のいずれか記載のオープンショーケース。
【００１２】
前記フックとホルダーもしくフックと近接センサとの間に伸縮機能を持たせたことを特徴とする請求項１から請求項５のいずれか記載のオープンショーケース
【発明の効果】
【００１３】
上記手段により、本発明のオープンショーケースは、簡易な構造でナイトカバーの開閉状態を判別する開閉検知装置を備えることができるとともに、開閉検知装置を持たないオープンショーケースについても容易に改造氏機能を持たせることが出来る。
【図面の簡単な説明】
【００１４】
【図１】本発明の１実施形態を示すオープンショーケースの側面図である
【図２】本発明の１実施形態を示すオープンショーケースのナイトカバー保持具の取付詳細例1を示す図である。
【図３】本発明の１実施形態を示すオープンショーケースのナイトカバー保持具の取付詳細例2を示す図である。
【図４】本発明の1実施形態を示すナイトカバー保持具の詳細を示す図である。ナイトカバー未使用時におけるナイトカバー保持具の状態ナイトカバー使用時におけるナイトカバー保持具の状態
【発明を実施するための最良の形態】
【００１５】
以下、図面に基づき本発明の実施形態を詳述する。図1はオープンショーケースの縦断側面図、図２及び図３はナイトカバーを引き出した状態のオープンショーケース１の開口部下段冷気吸込口の縦断側面図である。
【００１６】
上記各図に示したオープンショーケース１が運転を行うと冷気吹出口４から手摺８後方の冷気吸込口５に向けて冷気が吹き出される。
【００１７】
これによってオープンショーケース開口部と製品収納室７の間にエアーカーテンが形成され製品収納室７内の温度が低下し、陳列製品が冷却される。
また、図１のオープンショーケースには、冷気吹出口４の前面に巻き取り式ナイトカバー２が取り付けられている。この巻き取り式ナイトカバー２は下方に引き出され、冷気吸込口５の近傍に取り付けられ、店舗閉店時等にオープンショーケース開口部からの冷気漏れを低減させることができ冷却性能を低下させることなく運転制御による消費電力の削減を図ることができる。
【００１８】
さらに、巻き取り式ナイトカバー２の横幅はオープンショーケース開口部の幅寸法と略同等か若干狭い寸法とされていると共に、本体の開口部に着脱可能に取り付けられている。巻き取り式ナイトカバー２のカバー部材２ａの先端には左右に張る硬質樹脂製の縁部材が設けられ、中央部の引掛け部２ｂが冷気吸込口４部のナイトカバー保持具３に取り付られナイトカバーが使用状態になる。
【００１９】
なお、ナイトカバー保持具３は図４のとおり磁石３ｂが取り付けられ、先端が略Ｕ字をなす磁石付きフック３ａとホルダー３ｄには磁力にて電気信号を検知する近接センサが取り付けられている部品構成となっている。
【００２０】
ナイトカバー保持部３は図４の磁石付フック３ａとホルダー３ｄ及び近接センサ３ｅで構成され冷気吸込口５あるいは手摺８の近傍にある断熱壁６に取付固定される。磁石付フック３ａは上下移動が可能で自重によりスライド爪３ｃと通しガイド３ｆが当接する位置まで降下する。この時、磁石３ｂと近接センサ３ｅは検知可能範囲内に位置する事とする。
【００２１】
巻き取り式ナイトカバー２はナイトカバー保持具３に係止される際、カバー部材２ａの巻き戻りの張力で引掛け部２ｂは冷気吹出口方向へ戻る力が発生する。これに伴い引掛け部２ｂに係止している磁石付フック３ａは引掛け部２ｂと共に上方へ移動しスライド爪３ｃとスライド用スリット３ｆが当接するまで上昇する。この時、磁石３ｂと近接センサ３ｅは検知範囲外に位置する事とする。
【００２２】
以上の構成でオープンショーケース１の運転中にナイトカバー２を引き下げ引掛け部２ｂをナイトカバー保持具３の磁石付フック３ａに係止させるとカバー部材２ａの張力により磁石付フック３ａのスライド爪３ｃがホルダー３ｄのスライド用スリット３ｆが当接するまで引き上げられ磁石３ｂと近接センサ３ｅが近接検知の範囲外に位置する事でナイトカバー２の使用状態が確認可能となる。
【００２３】
この事により磁石付フック３ａの自重とナイトカバー２の巻き戻り張力によってナイトカバー２の使用状態が確実に検知可能となり、照明のＯＮ・ＯＦＦ制御やショーケースの運転制御の最適化が図れ、消費電力の削減を可能にすることができる。
【００２４】
またナイトカバー２の引出しを水平方向で使用する平形ショーケース等に本発明を用いる場合は磁石付フック３ａとホルダー３ｄもしくは近接センサ３ｅ間に引張バネ等の伸縮機能を追加し磁石付フック３ａを近接センサ３ｅに接近させて使用状態が検知可能にできる構造となる。
【００２５】
ホルダー３ｄのスライド用スリット３ｆのスリットの隙間３ｇは磁石３ｂのネジ板３ｈと磁石付フック３ａの板厚を合わせた厚みよりも小さくする事で、磁石付フック３ａの摺動時の引掛かり等による摺動不良を防止でき、使用状態が確実に検知可能となる。
【００２６】
磁石３ｂの左右方向の幅はホルダー３ｄの左右フランジ３ｊ間より若干狭い寸法とすることにより磁石付フック３ａの左右方向のズレを抑制できる構造とする。
【００２７】
本発明のナイトカバー保持具３を製品に取り付けるには冷気吸込口５に磁石付フック３ａのヘッド部３ｋが通過できる開口部を設ける必要があり取付後に隙間が発生してしまうがホルダー３ｄの前面フランジ3ｌにより冷気吸込口５の開口部を塞ぐことができ隙間を低減できる構造となる。
【００２８】
本発明のナイトカバー保持具３のユニット内に開閉検知手段となる磁石３ｂおよび近接センサ３ｅを一体構成させることにより、開閉検知精度が向上できると共に特殊仕様のナイトカバーを使用することなく開閉検知機能を備えたオープンショーケースを提供することができる。
【００２９】
本発明で使用するナイトカバー保持具３の開閉検知用の近接センサとしては、リードスイッチやホールＩＣ等と永久磁石を使用した磁気型近接センサが適用できる。
【００３０】
磁石３ｂは磁石付フック３ａのスライド爪３ｃをホルダー３ｄのスライド用スリット３ｆに組み込んだ後に取り付ける事でホルダー３ｄから磁石付フック３ａの脱落等を防止することが可能な構造となる。
【符号の説明】
【００３１】
１  ショーケース本体
２  ナイトカバー
２ａカバー材
２ｂ引掛け部
３  ナイトカバー保持具
３ａ磁石付フック
３ｂ磁石
３ｃスライド爪
３ｄホルダー
３ｅ近接センサ
３ｆスライド用スリット
３ｇスリットの隙間
３ｈネジ板
３ｊ左右フランジ
３ｋヘッド部
３ｌ前面フランジ
４  冷気吹出口
５  冷気吸込口
６  断熱壁
７  商品収納室
８  手摺
【図１】
2013240503.tif 000003
【図２】
2013240503.tif 000004
【図３】
2013240503.tif 000005
【図４】
2013240503.tif 000006